(57)【要約】本発明は、１枚または複数枚の剥離片によって支持された接着剤塗布部を外側表面に有する非ロール状の接着性コンドームであり、この構成は上記コンドームの容易な製造および装着を可能にするものである。装着の際は、上記コンドームの閉塞端の外側表面をペニスに被せ、近位方向に向かってコンドームから離れるように剥離片を引っ張る。こうして、接着剤が塗布された外側表面は内側を向いて裏返されペニスに接着する。上記コンドームは、２枚以上の膜同士を封止し、その上にさらに支持フィルムを取り付けて製造してもよい。コンドームの閉塞端の先端には接着剤非塗布領域があり精液溜めとして機能する。その先端部を切り開いて尿用コンドームカテーテルの装着を補助することもできる。上記原理に基づき、ペニスの遠位部を包み込む接着性フランジおよび精液溜めを備えた丈の短い非ロール状接着性コンドーム（短尺コンドーム）も複数提示する。【選択図】図３
2017531505.tif 000002
【特許請求の範囲】
【請求項１】
閉塞端と開口端を有する非ロール状コンドームであって、
ａ）前記コンドームの外側表面には少なくとも部分的に接着剤が塗布され、
ｂ）前記接着剤が塗布された外側表面上には１枚または複数枚の剥離片が配され、
ｃ）上記コンドームを装着するには、前記コンドームの閉塞端の外側表面をペニス亀頭に被せ、次いで、取り付けられた剥離片とともに前記コンドームを前記剥離片がコンドームから完全に剥がれるまでペニス胴部に向かって近位方向に前進させ、これにより前記コンドームは外側が内側に裏返されてペニスに接着する、非ロール状コンドーム。
【請求項２】
前記コンドームの閉塞端には、精液溜めとして、接着剤が塗布されていない尖形領域または突出部がある、請求項１に記載の非ロール状コンドーム。
【請求項３】
前記剥離片には、前記コンドームを装着するためのつまみとして作用する開放端がある、請求項１に記載の非ロール状コンドーム。
【請求項４】
前記コンドームは、２枚以上の薄く可撓性のある不浸透性膜同士を封止することにより作製される、請求項１に記載の非ロール状コンドーム。
【請求項５】
２枚の薄く可撓性のある不浸透性膜同士を封止する方法であって、前記各不浸透性膜には、より可撓性の低い外側支持フィルムが配され、該外側支持フィルムを介してエネルギー源が印加される方法。
【請求項６】
ａ）前記コンドームの好適な形状をした２枚の膜同士を封止することと、
ｂ）一方の膜の外側表面上に接着剤および剥離片を取り付けることと、
ｃ）同時に、または後続して、他方の膜の外側表面上に接着剤および剥離片を取り付けることと、
ｄ）得られた作製物を最終製品になるよう切断することと
を含む製造工程を経て製造されたことを特徴とする、請求項１に記載の非ロール状コンドーム。
【請求項７】
前記コンドームの前記閉塞端を切り開くか、または製造時に開いたままにすることで、ペニスに尿用コンドームカテーテルを固定するために用いる、請求項１に記載の非ロール状コンドーム。
【請求項８】
請求項１に記載の非ロール状コンドームの短丈化して精液溜めと接着性膜からなるフランジのみを備えるようにし、ペニスの遠位部のみを覆うようにした、短尺コンドーム。
【請求項９】
コンドーム胴部の対向する膜厚部を分割するかまたは開いたままにすること作製された、ペニスの遠位部に接着する２枚のフランジを有する、請求項８に記載の短尺コンドーム。
【請求項１０】
略中央に位置する接着剤非塗布領域（精液溜めとなる）を有する互いに接着した２枚の薄型不浸透性膜と、剥離片によって支持される２枚の接着性フランジ（短尺コンドームの本体となる）とを備えた短尺コンドーム。
【請求項１１】
オメガ形状または類似形状に封止された２枚の薄型不浸透性膜を備えた短尺コンドームであって、前記オメガ形状のドーム部は精液溜めとなる一方、２枚の延在するフランジを備えた前記オメガ形状の基部は、その内側表面は接着剤が塗布されて剥離片によって支持されるとともに、ペニスの遠位部に接着する前記短尺コンドームの本体となる、短尺コンドーム。
【請求項１２】
前記オメガ形状の基部から延在する２枚のフランジは、その外側表面に接着剤が塗布され、剥離片によって支持されている、請求項１１に記載の短尺コンドーム。
【請求項１３】
前記短尺コンドームの外側表面には、製造および装着を容易にするため、１枚または複数枚の支持フィルムが配されている、請求項１０または１１に記載の短尺コンドーム。
【請求項１４】
１枚または複数枚の支持フィルムによって支えられた薄く細長い不浸透性膜であって、その外側縁に接着剤が塗布されているため、略中央部には接着剤非塗布領域が形成され、前記不浸透性膜の各端部には、前記接着剤非塗布領域の一部と重なる剥離片（支持膜）が配されている、薄く細長い不浸透性膜。
【請求項１５】
折り畳まれて短尺コンドームになる、請求項１４に記載の作製物である不浸透性膜。
【請求項１６】
個々人のペニスの大きさ、精液量、および嗜好における多様性に対応するべく、前記フランジと精液溜めの寸法および形状はともに様々とすることができる、請求項８、９、１０、１１、１２、１３、および１５の何れかに記載の短尺コンドーム。
【請求項１７】
潤滑剤、風味、香り、質感、色、図柄、文字、隆起、突起、および／または鋲が加えられた、請求項１、８、９、１０、１１、１２、１３、および１５の何れかに記載のコンドーム。
【請求項１８】
前記剥離片および／または支持フィルムに、ミシン目、折り溝、質感、色、図柄、模様、および／または文字が加えられた、請求項１、８、９、１０、１１、１２、１３、および１５の何れかに記載のコンドーム。
【請求項１９】
前記コンドームの表面の様々な箇所に不均一かつ／または様々な接着剤塗布部がある、請求項１、８、９、１０、１１、１２、１３、および１５の何れかに記載のコンドーム。
【請求項２０】
コンドームの縁部に、コンドームを取り外す際に役立つ取っ手として作用する接着剤非塗布領域がある、請求項１、８、９、１０、１１、１２、１３、および１５の何れかに記載のコンドーム。
【発明の詳細な説明】
【技術分野】
【０００１】
本発明の目的は、性交渉時の精子の受精および性感染症（ＳＴＤ：sexually transmitted diseases）を防ぐための性的バリアに関する。特に、本発明は、接着剤付きの薄く可撓性を有する膜厚部を含むコンドームにより男性性器を防護して体液交流を防ぐことに関する。本発明のさらなる別の目的は、ペニスの遠位部のみを覆う短尺コンドームを提供することである。
【背景技術】
【０００２】
ラテックス素材の男性用コンドームは、意図しない妊娠や性感染症（ＳＴＩ：sexually transmitted infections）を防ぐために最も普及したバリア手段である。しかしながら、上記コンドームには多くの欠点があるため、そのより広範な使用は躊躇されている。主な欠点として、触感／熱感が減少すること、ずれ／漏れが容易に生じることが挙げられる。触感／熱感の問題は、コンドームの厚みとペニスに装着時のコンドームの狭窄力とに起因する。一方、ずれ／漏れの問題は、コンドームが張った状態を保てるほど十分にペニスが勃起していない場合に常に発生し、挿入時及び非挿入時ともに、射精後だけでなく性行為の過程においてもしばしば起こる。
【０００３】
多くの従来技術において、より薄型のコンドームを開発するとともにコンドームをペニスに固定するための接着剤を用いることで上記問題の解決が試みられてきた。
【０００４】
生物由来の可撓性膜（たとえばウシの腱）または合成の可撓性膜（プラスチック・ポリマ）を用いれば、極薄のコンドーム（０．０５ｍｍ未満）を作製可能である。現代技術を用いることで今や素材の強度に関してそれほどの妥協をせずともより薄い膜をつくり出すことができる。
【０００５】
コンドームに接着剤を用いることで、ペニスの硬直度とは無関係に、ペニスに対する狭窄力の問題およびコンドームのずれ／漏れの問題を克服することができる。また、接着剤の使用によってコンドームとペニスの間の摩擦はなくなるためコンドームは破れにくくなり、したがってより薄い素材を用いることができる。これにより使用者はより良好な触感および熱感を得ることができる。
【０００６】
しかしながら、コンドームに接着剤を添加すると、製造と装着の両方において課題が生じる。
【０００７】
特許文献１に記載のコンドームは、フード部が使用前はロール状に巻き上げられた状態にある。そのフード部をペニスに展開するにつれて、フード部に備えられた外側部材によって接着剤がコンドームの内側表面に移動するという構成である。外側部材はコンドームが所定の位置に装着された後に取り外される。このような構成における主な問題点は、コンドームを展開する際、使用者の手が接着剤表面に直接触れてしまい、感圧接着剤の品質に影響が出てしまうことである。
【０００８】
特許文献２には、内側表面に円筒形の剥離片によって支持された接着剤が塗布されているロール状のコンドームが記載されている。円筒形の剥離片はコンドームの開口端より先まで延在し、円周上でラッパ状に広がって把持可能な装着用縁／リングを形成する。コンドームとその内部にある剥離片は、作製時、ともにロール状に巻き上げられる。縁／リングを用いて剥離片を近位方向に引っ張ることによりコンドームを展開させてペニスを覆う。直接展開するという行為によってロール状の非接着性コンドームをペニスに被せるのは比較的容易だが、剥離片を引っ張ることによってロール状の接着性コンドームをペニスに被せるというのはより難しい。接着性のある物を展開する際、まして引っ張る際には、より強い力が必要になるからである。さらには、接着剤が塗布された伸縮性のあるコンドームに比較的伸縮しにくい剥離片を取り付け、その後ロール状に巻き上げる、という工程を伴うロール状接着性コンドームの製造方法は技術的に難しい。
【０００９】
したがって、意図しない妊娠および性感染症を防ぐために、安価に製造でき、使用者が容易に装着できる極薄の非ロール状接着性コンドームが必要とされている。
【００１０】
本発明のさらに別の目的は、同じ原理に基づく短尺コンドームを提供することである。
【００１１】
短尺コンドームは、ペニスの遠位端にのみ取り付けられるコンドームであり、したがってペニス胴部の露出部分が増え、性行為パートナーとより直接的な接触が可能になる。ペニスの深い冠状溝と円錐台状の膨張したプローブのような特異的な形状をした亀頭冠とが、性行為の快感に貢献する主な体部位であることはよく知られている。残念なことに、従来のコンドームを被せた場合、亀頭冠が締め付けられるとともに冠状溝は覆い隠されてしまい、そのような自然が意図した設計は台無しとなる。したがって、ペニス亀頭の遠位部のみを覆う短尺コンドームはそのような問題を克服するものである。特許文献３および特許文献４には、分厚い材料モールドから作られた、ペニス亀頭の先端に貼り付く接着剤を用いた妊娠および性感染症予防器具が記載されている。特許文献５には、接着手段を介してペニスの頭部のみを覆う非ロール状のコンドームが記載されている。特許文献６、特許文献７、および特許文献８には、ペニス亀頭の先端に貼り付く接着剤を用いた短尺コンドームが記載されている。特許文献９には、コンドームをペニスに取り付けるための液体接着剤およびコンドームをペニスから取り外すための液体溶剤を含むキットおよび方法が記載されている。これらすべての従来技術は、接着剤が塗布されていない性液溜めと、ペニスの遠位部に貼り付くその周囲の接着性フランジとを備えた短尺コンドームという同じ概念を記載するものである。しかしながら、本発明より簡単に製造でき使い勝手がよい発明はない。
【先行技術文献】
【特許文献】
【００１２】
【特許文献１】米国特許第４６３８７９０号明細書
【特許文献２】米国特許第７９６３２８５号明細書
【特許文献３】米国特許第４８６９２６９号明細書
【特許文献４】米国特許第６０３５８５４号明細書
【特許文献５】米国特許第５４２１３５０号明細書
【特許文献６】米国特許第６１４５５０７号明細書
【特許文献７】米国特許第４８２１７４２号明細書
【特許文献８】米国特許第３６７７２２５号明細書
【特許文献９】米国特許第６１４８８１９号明細書
【発明の概要】
【００１３】
本発明によれば、性行為時の感染症の伝染および精液の交換を防ぐため、男性が装着する薄型の可撓性を有する接着性コンドームが提供される。このコンドームは、硬直度とは無関係にペニスに接着するように設計されている。容易に製造でき、かつ装着できるように、具体的には非ロール状に構成される。本発明の別の目的は、性行為パートナーとの間の障壁を最小限にするため、ペニスの遠位部のみを覆う短尺コンドームまたは超小型コンドームを提供することである。
【図面の簡単な説明】
【００１４】
【図１】非ロール状コンドーム１の好適な実施形態の断面図である。コンドーム１の外側表面には、２枚の剥離片３によって支持された接着剤塗布部２がある。剥離片３に開放端３ａを形成し、コンドーム１の装着を容易にするための「つまみ」として用いてもよい。好適な実施形態では、コンドーム１の接着剤が塗布されていない閉塞端４には精液溜め４ａがある。矢印はコンドームをペニス亀頭に被せる方向を示している。
【図１ａ】装着前の図１のコンドームの斜視図である。
【図１ｂ】装着に備えて開いた状態の図１のコンドームの斜視図である。
【図２】ペニス５に被せられつつある状態のコンドーム１の断面図である。コンドーム１の閉塞端４の外側表面がペニス５に被せられるのに伴い、コンドーム１の外側は内側に裏返される。矢印はコンドームの装着方向を示している。この工程によりコンドーム１の接着剤２が塗布された外側表面が内側になり、コンドーム１がペニス５に接着する。
【図３】図２で説明した過程を経て、ペニス５に対してコンドーム１を装着した図である。
【図４】ペニス５に完全に装着された状態の接着性コンドーム１の断面図である。コンドーム１の接着剤塗布された外側表面は完全に裏返されてペニス５に接着する。
【図５】尿用コンドームカテーテル１３の断面図であり、その接続管１３ａがコンドーム１の閉塞端にある開口１ｃを通して挿入された状態である。開口１ｃは、コンドーム１の閉塞端４に切れ目を入れることで作製してもよいし、あるいは製造時から開いたままにすることで作製してもよい。コンドーム１には接着剤２が塗布された外側表面があり、外側が内側に裏返されてコンドームカテーテル１３に接着する。
【図５ａ】接着性コンドーム１を補助的に用いてペニス５に適切に装着された尿用コンドーム１３の断面図である。尿用コンドーム１３はコンドーム１とペニス５の両方に接着して密封シールを実現する。
【図６】ペニス５に装着された接着性短尺コンドームの好適な実施形態の断面図である。短尺コンドームが備えているのは、精液溜め４ａとペニス５ａの遠位部のみを覆う接着性フランジ１ｂのみである。この接着性短尺コンドームは、上述の非ロール状接着性コンドームの丈を単に短くしたものであってもよい。
【図７】非ロール状接着性コンドーム１の丈を短くしたものの斜視図である。閉塞端４と精液溜め４ａは元のままであり、対向する側壁同士は開いた状態にある。こうして剥離片３によって支持される２つの接着性フランジ１ｂができる。
【図８】図７の短尺コンドームの斜視図である。装着に備えてコンドームを開くにつれて外側の接着剤塗布部２は部分的に露出する。この構成では、２つのフランジ１ｂは閉塞端４および精液溜め４ａのドーム部で接合している。剥離片３の開放端３ａはコンドーム装着用の「つまみ」として用いられる。
【図８ａ】ペニス亀頭５ａに適切に装着された図８の短尺コンドームの斜視図である。精液溜め４ａは装着時に裏返される。なお、外尿道口５ｂを収容するため、精液溜め４ａの開口端のすぐ周囲の領域（接着剤境界２ａによって画定される）には接着剤は塗布されていない。
【図９】互いに接着する（２）２枚の極薄膜１ａを備えた短尺コンドームの好適な実施形態の斜視図である。接着剤境界２ａによって画定される接着剤非塗布領域が略中央にあり、上部には精液溜め４ａが形成され、下部には剥離片３によって支持される２つの接着性フランジ１ｂが形成されている。２枚の剥離片３は短尺コンドームの上部と下部の間の接合部２ｂの近傍で折り畳まれ、「つまみ」として機能する２つの開放端３ａがつくられる。
【図９ａ】ペニス亀頭５ａに適切に装着された図９の短尺コンドームの斜視図である。この短尺コンドームの装着は、精液溜め４ａ中の空気を追い出し、精液溜め４ａの開口端４ｃを外尿道口５ｂの上にかぶせ、開放端３ａを引っ張って剥離片３を剥がすことから成る。２枚のフランジ１ｂ上の露出した各接着剤塗布部は、ペニスの遠位端に均される際、互いに接着すると同時にペニス亀頭５ａに接着して密封シールを形成することになる。なお、上記上部の膜１ａがフランジ１ｂと合体してペニス亀頭５ａの形状と合致するにつれて、接合部２ｂは伸長し上記下部へ移動する。
【図１０】短尺コンドームの別の好適な実施形態の斜視図である。これはオメガ形状または類似形状の２枚の極薄可撓膜同士を封止することによって製造され、オメガ形状のドーム部６は精液溜め４ａを備え、オメガ形状の基部６ａは２枚の延在フランジ１ｂとともに上記短尺コンドームの本体をなす。したがって上述のような横壁の両側を切り開いた状態の丈の短い非ロール状接着性コンドームの構成と類似する。フランジ１ｂの内側表面には、２枚の剥離片３に支持された状態で接着剤２が塗布されており、剥離片３は２枚ともオメガ形状基部６ａの近傍で折り畳まれている。開放端３ａは上記短尺コンドームの装着を容易にする「つまみ」として機能する。矢印は装着時に剥離片３の開放端３ａを引っ張る方向を示している。精液溜め４ａの開口端４ｃと、接着剤境界２ａによって画定されるそのすぐ周囲の領域には接着剤は塗布されておらず、装着時は外尿道口に配置されることになる。
【図１０ａ】ペニス亀頭５ａに適切に装着された図１０の短尺コンドームの斜視図である。精液溜め４ａ中の空気を追い出し、開放端３ａを引っ張って剥離片３を剥がすことにより、フランジ１ｂは２枚ともペニス亀頭５ａに接着する。２枚のフランジ１ｂを接続するオメガ形状基部６ａは接着性短尺コンドームの一部となる。精液溜め４ａのうち接着剤が塗布されていない開口端４ｃとそのすぐ周囲の接着剤非塗布領域は外尿道口５ｂと接合し、射精時に精液溜め４ａに精液を回収するための連続的な通路を形成する。
【図１１】折り畳むことによって作製される短尺コンドームの斜視図である。このコンドームは、支持フィルムによって支えられ、外側縁のみに接着剤が塗布された細長い薄膜を備えている。この薄膜の各接着剤境界には剥離片（支持膜）が配されている。この作製物は、装着前、各剥離片３がそれぞれの端部方向に線２ｂまで部分的に剥がされた状態で折り畳まれており（８）、接着剤非塗布領域の一部は剥離片３で覆われたままである。よって、接着縁１ａのうち折り目８の近傍にあるセグメントを露出させて折り目で縁１ａ同士が互いに接着することで精液溜め４ａが形成される。この折り畳み構成は、図９に示した装着準備が整った状態の短尺コンドームと類似している。なお、装着後に剥がされる上記短尺コンドームの外側支持フィルムは本図では示されていない。
【図１１ａ】図９ａで示したようにペニスの遠位端に適切に装着された図１１の短尺コンドームの斜視図である。
【発明を実施するための形態】
【００１５】
これより、添付図面を参照しつつ本発明を例示的に説明する。非ロール状コンドーム（図１）の外側表面の少なくとも一部には、１枚または複数枚の支持膜（すなわち、剥離片）によって支持された低アレルギー誘発性の防水接着剤が塗布されている。剥離片は、接着剤塗布部より先まで延在し、コンドーム装着時に「つまみ」として使用可能な開放端を形成してもよい。コンドームの製造方法は、限定はしないが、２枚以上の極薄膜を浸漬、成型、および封止することを含んでもよい。コンドームの作製には、可撓性を有し薄く不浸透性を示すさまざまな膜を用いることができる。例えば、ゴムラテックス、または、ポリウレタン、ポリエチレン、ポリプロピレン、ポリエステル、ナイロン、ポリ塩化ビニル、バイオプラスチック、ニトリルなどといった、他の生体忍容性のプラスチックフィルムが挙げられる。
【００１６】
好適な実施形態では、非ロール状コンドームは、接着剤によって外表面に取り付けられるゆるめのコンドームと、接着剤塗布部より先まで延在する開放端を有する２枚の可撓性剥離片とを用いて製造される（図１）。このコンドームを装着するには、使用者は、コンドームの開口端を開き、コンドームの閉塞端の外側表面をペニス亀頭に向けてゆるめのコンドームをペニスに被せる。次いで、コンドームの閉塞端から空気を追い出し、剥離片の開放端を使用者の近位方向に向けて引き剥がす。この引き剥がす行為によってコンドームの外側が内側に裏返されることになり、接着剤が塗布されたコンドーム外側表面は内側を向き、コンドームはペニスに接着する（図２〜図４）。コンドームは薄型可撓性材料からなるため、ゆるめのコンドームによってできるシワは問題にはならない。実際、コンドームの開口端にあるシワは使用後にコンドームを取り外す際の「つまみ」として利用することもできる。したがって、上記ゆるめのコンドームにより、すべての使用者に適合するワンサイズのコンドームを製造できる可能性が開かれる。
【００１７】
別の実施形態では剥離片は１枚のみである。この剥離片は円筒形、非円筒形、または多角形をしていてもよい。そのような剥離片には、１本または複数本の引き裂き線など破断手段を製造時に加えてもよい。装着時はそれらを破断することで剥離片が剥がしやすくなる。
【００１８】
非ロール状コンドームの好適な製造工程は、コンドームを浸漬成型し、その外側表面に接着剤を塗布し、次いで剥離片を取り付けることから成る。あるいは、剥離片に予め接着剤を塗布しておき、コンドームの外側表面にその塗布済み接着剤を転塗してもよい。
【００１９】
非ロール状接着性コンドームの別の好適な製造工程は、上記コンドームの指定形状をした２枚の薄型可撓性膜同士を封止し、一方の膜の外側表面に接着剤を塗布するとともに剥離片を取り付け、それと同時にまたはそれに次いでもう一方の膜の外側表面にも接着剤を塗布し剥離片を取り付けることから成る。最終製品はこの作製物を指定形状に切断することによって作製される。
【００２０】
上記コンドームを製造する際、さまざまな封止方法を用いて２枚の薄膜同士を封止することができる。封止方法としては、限定はしないが、加熱手段、化学的手段、超音波手段、無線周波手段、電気的手段、照明手段、機械的手段などが挙げられる。エネルギー源を用いる場合、このエネルギーを直接膜に印加するか、または支持フィルムを介して印加することにより膜同士の封止を行ってもよい。取り扱いを容易にするため、薄膜の表面には別材料から成る低可撓性の支持フィルムがしばしば取り付けられる。よって、この支持フィルムを介して封止エネルギーを印加することで上記膜同士を封止することができる。一例として、ポリエチレンテレフタレートからなる支持フィルムによって支えられるポリウレタン膜が挙げられる。ポリウレタン膜の溶融強度はポリエチレンテレフタレートからなる支持フィルムの溶融強度よりも低いため、ポリエチレンテレフタレートからなる支持フィルムを介して熱を印加することによって、ポリエチレンテレフタレートからなる支持フィルムには影響を与えずにポリウレタン膜をヒートシールすることができる。したがって熱強度は、内側の膜が外側の支持フィルムに接着されないよう、２枚の内側膜同士を封止するのにちょうど十分な強度にすべきである。
【００２１】
別の実施形態では、性的満足を高める目的で、コンドームに質感、色、図柄、文字、隆起、突起、および／または鋲が加えられる。非接着性表面には、水または他の液体を加えると滑りやすくなる潤滑剤を塗布してもよい。
【００２２】
別の実施形態では、性的満足を高める目的で、剥離片および／または支持フィルムに、質感、色、図柄、および／または文字が加えられる。
【００２３】
別の実施形態では、コンドームの開口端には、個々の嗜好に合わせた不規則な縁部が存在する。
【００２４】
別の実施形態では、接着剤のコンドーム上での分布は不均一である。特に、接着剤塗布部は、コンドームのずれを防止するためコンドームの開口端側においては強力であり、また、敏感なペニス亀頭に接着剤が過度に接しないよう閉塞端側においては弱い。接着剤塗布部の強度は質的かつ／または量的なものである。例えば、コンドームの開口端から離れた位置に塗布される接着剤は、弱粘タイプをもちいるか、薄く塗布するか、または一部のみに塗布してもよい。
【００２５】
別の実施形態では、コンドームの開口端には接着剤が塗布されていない開放タグ（分離したラッパ形状部）が１つまたは複数あり、コンドームの取り外しを容易にする「つまみ」として機能する。別の実施形態では、コンドームの開口端には接着剤が塗布されておらず、したがって、開放開口端は使用後、ペニスからコンドームを剥がすための「つまみ」として用いることができる。
【００２６】
非ロール状接着性コンドームは、尿用コンドームカテーテルを固定する手段として使用してもよい。その場合、単純に、コンドームの閉塞端に切れ目を入れた先端を通してカテーテルの接続管を挿入し、その管を挿入したコンドームをペニス亀頭に被せ、上述のようにコンドームを装着することによって可能となる（図５）。コンドームカテーテルをペニスに取り付けることで、薄型接着性コンドームは、非勃起状態にあるペニスに尿用コンドームカテーテルを装着できる漏れ止め手段となる（図５ａ）。これは既存の比較的分厚い接着性尿用コンドームカテーテルでは実現が難しいこともしばしばである。コンドーム閉塞端側の開口部は切れ目を入れることで作製してもよいし、または製造時に開いたままにすることで作製してもよい。
【００２７】
本発明の別の目的は、上記コンドームの胴部を短くすることにより、ペニスの遠位部のみを覆う短尺コンドームまたは超小型コンドームを提供することである。そのような構成では、避妊効果を達成しつつも性行為パートナーとの間の障壁を最小限にできるという効果が得られる。実際、コンドームの胴部は、精液溜めおよびペニス亀頭の遠位部に接着するその周囲のフランジのみを備える程度まで短くすることができる（図６）。
【００２８】
上記短尺コンドームとして多くの好適な実施形態が挙げられる。一実施形態では、上述のように、外側表面に接着剤を塗布することで作製され、装着時は外側が内側になるよう裏返される（図１〜図４）。
【００２９】
別の実施形態は、コンドームの閉塞端および精液溜めはそのままに、丈の短い非ロール状接着性コンドームの対向する膜厚部同士を長手方向に開いたものである（図７）。そのようにしてできた剥離片に支持された２枚の接着性フランジは、ペニス亀頭に装着される際には精液溜めが裏返った状態となる（図８）。フランジを採用することで、精液溜めの開口端は確実に正確に外尿道口を覆う位置に配置しやすくなり（例えば一度に一枚ずつフランジを取り付けることで）、また円錐台形状をしたペニス亀頭にシワのない状態でコンドームを装着することが容易になる。
【００３０】
別の実施形態では、短尺コンドームはオメガ形状または類似の形状をした２枚の薄膜同士を封止することにより製造してもよい。その場合、オメガ形状のドーム部は精液溜めになり、オメガ形状の基部から延在する２枚のフランジ（図１０）は短尺コンドームの本体となる。両フランジとも内側表面に接着剤が塗布され、折り畳まれた剥離片（支持膜）によって支持される（図１０）。装着時には剥離片は剥がされ、接着性フランジによってペニス亀頭を包み込むことが可能になる（図１０ａ）。あるいは、上記フランジの外側表面に接着剤を塗布して剥離片で支持し、上記精液溜めを装着前に裏返してもよい。
【００３１】
製造時、工程順序は封止方法によって異なるものであってよい。例えば、２枚の膜を用いた上述の工程にはヒートシールを適用可能だが、接着剤を用いた封止（図９）では以下の工程を含むことが好ましい。個々の２つの膜の内側表面に接着剤を塗布し（両膜とも精液溜めとして適切な形状の接着剤非塗布領域を有する）、接着性フランジに剥離片を取り付け、上記２つの膜を（上記接着剤非塗布領域同士が互いに対向および一致するように）並置し、それを短尺コンドームの指定形状に切断する。短尺コンドームの装着時は、２つの接着性フランジ同士は互いに接着するとともにペニス亀頭にも接着することになる（図９ａ）。精液溜め用の上記接着剤非塗布領域は、接着剤塗布済みの膜の基部に適切な形状をした非接着性極薄膜を取り付けることによって作製してもよい。この場合、結果的に得られる精液溜めは２層の膜からなる膜厚部を有することになり、したがって破れが生じにくくなる。このような短尺コンドームは、より低弾性の材料からなる外側支持フィルムを１枚または複数枚備えていてもよい。そうすることで製造が容易になり、また保護カバーとして機能し、また装着も容易となりうる。
【００３２】
別の実施形態では、折り畳まれた単一の細長い膜を用いて二重膜の構成が実現される（図１１）。この場合、短尺コンドームの作製方法は、１枚または複数枚の支持フィルムを裏側に配した薄く細長い膜の外側縁に接着剤を塗布し、略中央に位置する接着剤非塗布領域を部分的に覆うよう剥離片を各接着剤の端部に戦略的に配置することから成る場合もある。膜を折り畳む際、折り目近傍のセグメントにある接着剤縁部同士が互いに接着して精液溜めを形成することになる（図１１）。コンドームは、両剥離片を引っ張り、両接着性フランジをペニス亀頭に均し、外側支持フィルムを剥がすことによりペニス亀頭に装着される（図１１ａ）。製造時、上記細長い膜を容易に正確に折り畳むため、上記支持フィルムには、折り線または折り溝、あるいはミシン目を予め施しておいてもよい。この実施形態の精液溜めの開口端の周囲には外尿道口を覆うのに十分な形状および寸法の接着剤非塗布領域があると好ましいため、中央に位置する接着剤非塗布領域の一部を各剥離片が覆うように作製する必要があることに留意されたい。
【００３３】
個々人のペニスの様々なサイズや精液量、嗜好などを充足させるため、フランジおよび精液溜めの寸法および形状には様々なものがあってよい。特に、ペニス亀頭の後部面の凸凹表面を補填するため、後部フランジを大きくする必要性がありうる。
【図１】
2017531505.tif 000003
【図１ａ】
2017531505.tif 000004
【図１ｂ】
2017531505.tif 000005
【図２】
2017531505.tif 000006
【図３】
2017531505.tif 000007
【図４】
2017531505.tif 000008
【図５】
2017531505.tif 000009
【図５ａ】
2017531505.tif 000010
【図６】
2017531505.tif 000011
【図７】
2017531505.tif 000012
【図８】
2017531505.tif 000013
【図８ａ】
2017531505.tif 000014
【図９】
2017531505.tif 000015
【図９ａ】
2017531505.tif 000016
【図１０】
2017531505.tif 000017
【図１０ａ】
2017531505.tif 000018
【図１１】
2017531505.tif 000019
【図１１ａ】
2017531505.tif 000020
【国際調査報告】
2017531505.tif 000021
2017531505.tif 000022